(57)【特許請求の範囲】
【請求項１】
基端に注射器のチップを装着する装着部と先端に接着剤を注入するための接着剤注入部と該接着剤注入部に続き、かつ、ハブの軸上に貫通して、カヌラに接しているカヌラ挿着孔を有するハブと、接着剤注入部に注入した接着剤と、カヌラ挿着孔に挿着され、かつ、接着剤注入部に注入された接着剤によりハブに解放不能に接着固定された径が細く肉厚の薄い両端に刃先を有する円筒状カヌラを含む歯科用またはインシュリン投与用の注射針であって、ハブの先端部は、接着剤注入部を囲むように軸方向の環状リブを設けた形状であって、接着剤は、環状リブに囲まれた円筒状および該環状リブからカヌラ挿着孔に続く円錐状のみを形成し、接着剤の表面とカヌラとの接点は、環状リブの先端より１ｍｍ以上低位にある医療用注射針。
【発明の詳細な説明】
【０００１】
【発明の属する技術分野】
本発明は、径が細く肉厚の薄いカヌラを有する医療用注射針に関する。本発明の医療用注射針は、特に、歯の治療に際して局部麻酔を行うときに使用される歯科用注射針や、インシュリンの注射に使用する注射針等に好適である。
【０００２】
【従来の技術】
従来、歯の治療に際して、歯根に麻酔剤を注入する場合、歯科用注射針を用いて行っているが、口腔が狭いためそのままの形状では注入部位まで針先を案内することができないことが多く、必要に応じてカヌラを根元から適当な角度に折り曲げて使用している。
しかしながら、歯根に穿刺している最中にカヌラが根元から破断してしまうことがあり危険であった。また、同じ患者については、このような折り曲げ操作を１本の注射針に対して２回以上繰り返して行うこともあり、その場合、治療前の折り曲げ操作の段階でカヌラが根元から破断してしまうことがあり、注射針を取り替える手間がかかり面倒であった。
また、インシュリン用注射針は、径が細く肉厚の薄いカヌラを有しており、使用時（針の穿刺時や抜去時）に、恐らくは使用上の問題（正しい穿刺がなされていないなど）から、カヌラが曲げられて折れるという問題が発生している。
【０００３】
【発明が解決しようとする課題】
本発明は如上の事情に鑑みてなされたもので、使用時の繰り返し折り曲げ操作や歯根への穿刺操作によりカヌラが破断することの無い歯科用注射針を提供することを目的とする。また、使用上の問題からカヌラ折れの発生することの無いインシュリン用注射針を提供することを目的とする。
【０００４】
【課題を解決するための手段】
本発明者等は、上記の課題を解決するために鋭意検討の結果、例えば図４に示すような従来の歯科用注射針の場合、歯科医によるカヌラ２０の折り曲げは、図３に示すように、伝麻用シリンジ本体Ｓに歯科用注射針Ｎを装着し、親指Ｆで押すことにより行っているが、この場合、折り曲げ位置は、殆ど例外無くカヌラ２０が接着剤層１０５の表面に接する位置、すなわちカヌラの根元２０１であり、カヌラ２０の破断は例外無く根元２０１で生じていることが判明した。また、例えば図５に示すような従来のインシュリン用注射針の場合、カヌラが接着剤部から折れるケースが多いことが判明した。そしてこれらの事実から、カヌラの根元に直接力が加わらないようにすればよいことに想到し、本発明に到達した。すなわち本発明の医療用注射針は、ハブ先端の接着剤注入部に接着剤を注入してハブにカヌラを接着固定し、カヌラの根元がハブの先端より低位になるようにしたことを特徴とする。この場合、カヌラの根元がハブの先端より１ｍｍ以上低位にあるのが望ましい。ここで、ハブの先端に接着剤注入部を囲むように軸方向の環状リブを設け、カヌラの根元が環状リブの先端より低位になるようにしてもよく、この場合、環状リブのカヌラの根元からの高さは１ｍｍ以上になるようにするのが望ましい。
【０００５】
【発明の実施の形態】
次に本発明の実施例について図面に基づいて説明する。
図１は本発明の一実施例を示す縦断面図であり、図２は本発明の他の実施例を示す縦断面図である。
図１および図２に示すように、本発明の医療用注射針は、ハブ１、３の先端の接着剤注入部１１、３１に接着剤を注入してハブ１、３にカヌラ２を接着固定し、カヌラ２の根元２１がハブ１、３の先端１２１、３２１より低位になるようにしたことを特徴とする。ハブ１、３の先端部は、接着剤注入部１１、３１を囲むように軸方向の環状リブ１２、３２を設けた形状にしてもよく、この場合、カヌラ２の根元２１は環状リブ１２、３２の先端１２１、３２１より低位になる。
【０００６】
図1に示すものは歯科用注射針の例である。ハブ１は、通常、ポリエチレンやポリプロピレンなどの透明な熱可塑性プラスチックで形成されており、その基端には、注射器（図示していない）のチップに装着するための装着部１３を有し、その先端には、接着剤を注入するための接着剤注入部１１を有している。そして、装着部１３の基端には、結合手段としての例えば２条ネジ１３１が設けられており、ハブ１の軸上にはハブ１を貫通してカヌラ挿着孔１４が設けられている。このカヌラ装着孔１４にはカヌラ２が挿着されており、カヌラ2は接着剤注入部１１に注入された接着剤によりハブ１に接着固定されている。接着剤層１５の表面とカヌラ２の接点、すなわちカヌラ２の根元２１は、ハブ1の先端１２１より位置が低くなっており、そのため、カヌラ2を指などで曲げるときに、力点（指で押す部分）と支点（カヌラ２の根元２１）の間に間隔が生じ、カヌラ2が撓って、カヌラ2の根元２１にかかる力を緩和することができる。そしてその結果、カヌラ2が折れ難くなっている。ハブ1の先端部は、図１に示すように、接着剤注入部１１を囲むように軸方向の環状リブ１２を設けた形状にしてもよく、この場合、ハブ1の先端１２１は環状リブ１２の先端と読み替えることができ、環状リブ１２のカヌラ２の根元２１からの好ましい高さは１ｍｍ以上と読み替えることができる。
【０００７】
〔試験例１〜３〕
本発明の歯科用注射針（実施例１）と、従来品（比較例１）、実施例１からカッターで環状リブを取り除いたもの（比較例２）について、それぞれ３０Ｇ×２１ｍｍのサイズのものを各10本ずつ用意し、カヌラの繰り返し曲げ強さ試験を行ったところ、表1のような結果が得られた。尚、実施例における環状リブのカヌラの根元からの高さは１．５０±０．４１ｍｍであった。
試験は、注射針を伝麻用シリンジに固定し、カヌラを親指で片側に折り曲げて元に戻すという動作を、カヌラが破断するまで繰り返すことにより行った（図３参照）。カヌラの曲げ角度は、２５°、４５°、６０°および９０°であり、数字はカヌラが破断するまでの往復曲げ回数を示す。
【０００８】
【表１】
0004045589.tif 000002
【０００９】
表1から、カヌラを曲げたときの破断強度が著しく改良されていることが分かる。また、比較例2において破断強度の若干の改良が認められるが、これは、比較例2の接着剤の表面が平坦または少し凹んでいたことから、力点と支点の間に若干の間隔が生じたためと思われる。
【００１０】
図2に示すものは、インシュリン用注射針の例である。ハブ３は、歯科用注射針の場合と同様、通常、ポリエチレンやポリプロピレンなどの熱可塑性プラスチックで形成されており、一般に、着色されていることが多い。ハブ３の基端には、注射器（図示していない）のチップに装着するための装着部３３が設けられており、その先端には、接着剤を注入するための接着剤注入部３１が設けられている。そして、装着部３３の先端側には、結合手段としての雌ネジ３３１が設けられており、ハブ３の軸上にはハブ３を貫通してカヌラ挿着孔３４が設けられている。このカヌラ装着孔３４にはカヌラ２が挿着されており、カヌラ2は接着剤注入部３１に注入された接着剤によりハブ３に接着固定されている。接着剤層３５の表面とカヌラ２の接点、すなわちカヌラ２の根元２１は、ハブ３の先端３２１より位置が低くなっており、そのため、カヌラ2が曲がったときに、力点と支点（カヌラ２の根元２１）の間に間隔が生じ、カヌラ2が撓って、カヌラ2の根元２１にかかる力を緩和することができる。そしてその結果、カヌラ2が折れ難くなっている。ハブ３の先端部は、図２に示すように、接着剤注入部３１を囲むように軸方向の環状リブ３２を設けた形状にしてもよく、この場合、ハブ３の先端３２１は環状リブ３２の先端と読み替えることができ、環状リブ３２のカヌラ２の根元２１からの好ましい高さは１ｍｍ以上と読み替えることができる。
【００１１】
〔試験例４〜５〕
本発明のインシュリン用注射針（実施例２）と、従来品（比較例３）について、それぞれ３０Ｇ×１２ｍｍのサイズのものを各10本ずつ用意し、歯科用注射針の場合と同様のカヌラの繰り返し曲げ強さ試験を行ったところ（図３参照）、表２のような結果が得られた。尚、実施例２における環状リブのカヌラの根元からの高さは１．４９±０．２３ｍｍであった。
表２から、カヌラを曲げたときの破断強度が著しく改良されていることが分かる。
【００１２】
【表２】
0004045589.tif 000003
【発明の効果】
以上説明してきたことから明らかなように、本発明の医療用注射針は、カヌラの根元がハブの先端より低位になっているので、指で押した時に力点と支点の間に間隔が生じてカヌラが撓むことができ、従って使用時の繰り返し折り曲げ操作や注射部位への穿刺操作によるカヌラの破断を実質的に防止することができる。
【図面の簡単な説明】
【図１】  本発明の一実施例を示す縦断面図である。
【図２】  本発明の他の実施例を示す縦断面図である。
【図３】  カヌラの繰り返し曲げ強さ試験の説明図であり、カヌラを親指で片側に折り曲げて元に戻すという動作を示す。
【図４】  従来の歯科用注射針の例を示す縦断面図である。
【図５】  従来のインシュリン用注射針の例を示す縦断面図である。
【符号の説明】
１、１０  ハブ
１１  接着剤注入部
１２  環状リブ
１２１  ハブの先端
１３  装着部
１３１  2条ネジ
１４  カヌラ挿着孔
１５、１０５  接着剤層
２  カヌラ
２１、２０１  根元
３、３０  ハブ
３１  接着剤注入部
３２  環状リブ
３２１  ハブの先端
３３  装着部
３３１  雌ネジ
３４  カヌラ挿着孔
３５、３０５  接着剤層
Ｓ  伝麻用シリンジ本体
Ｎ  歯科用注射針
Ｆ  親指
【図１】
0004045589.tif 000004
【図２】
0004045589.tif 000005
【図３】
0004045589.tif 000006
【図４】
0004045589.tif 000007
【図５】
0004045589.tif 000008